(57)【要約】【課題】既設の固定用バンドを除去する作業を迅速に行うことができ、切断されて生じた固定用バンド片を容易に除去できるケーブル固定具を提供する。【解決手段】ケーブルＣを設置する設置面部１２ａを有するケーブル受け部１０を備えたケーブル固定具Ｘであって、ケーブル受け部１０に、ケーブルＣを締め付け固定する固定用バンドに係合してケーブルＣを締め付けた状態に維持するロッキングヘッド３０を着脱可能に構成した固定部を備え、固定部は、ケーブル固定具Ｘを支持する支持具の側とは反対側の突出端部１０Ａのみに備える。【選択図】図３
2020174469.tif 000002
【特許請求の範囲】
【請求項１】
ケーブルを設置する設置面部を有するケーブル受け部を備えたケーブル固定具であって、
前記ケーブル受け部に、前記ケーブルを締め付け固定する固定用バンドに係合して前記ケーブルを締め付けた状態に維持するロッキングヘッドを着脱可能に構成した固定部を備え、
前記固定部は、前記ケーブル固定具を支持する支持具の側とは反対側の突出端部のみに備えたケーブル固定具。
【請求項２】
前記固定部に、前記ロッキングヘッドと係合する係合部が設けてある請求項１に記載のケーブル固定具。
【請求項３】
前記固定部の近傍に、前記ケーブルを仮止めする仮止め部を備えた請求項１または２に記載のケーブル固定具。
【発明の詳細な説明】
【技術分野】
【０００１】
本発明は、ケーブルを設置する設置面部を備えるケーブル受け部を備えたケーブル固定具に関する。
【背景技術】
【０００２】
特許文献１には、上下両端部にアンカーボルトへ装着する固定用突片が設けられ、且つ、全体が縦長の矩形状を成すと共に、前面の中心線上にスリットが設けられた金属製の支持具と、この支持具のスリット内に上下多段的に装着される複数のケーブル支持用の受け皿体とによって構成されたケーブル支持具が開示してある。このケーブル支持具には、ケーブルを下から抱持する略半円弧状の湾曲面部が凹設してある受け皿体に、当該湾曲面部を挟んだ状態で、その左右両側部に、上記湾曲面部内に抱持されたケーブルの上側面に掛け渡した樹脂バンド（固定用バンド）の両端部側を夫々挿通可能とする左右二つのロッキングヘッドが設けてある。
【先行技術文献】
【特許文献】
【０００３】
【特許文献１】特開２０１３−００５７０６号公報
【発明の概要】
【発明が解決しようとする課題】
【０００４】
特許文献１に記載のケーブル支持具において、ケーブルを交換あるいは増設する際には、既設の固定用バンドを除去し、新たなケーブルを受け皿体に載置したのち、新たな固定用バンドを装着する。既設の固定用バンドを除去する際には、当該固定用バンドを切断して生じた固定用バンド片をロッキングヘッドから取り除くこととなる。
【０００５】
ロッキングヘッドは受け皿体の左右両側部（支持具のスリット側とその反対側）に設けてあり、それぞれのロッキングヘッドにおいて固定用バンド片を取り除く必要があるため、作業に時間を要していた。
【０００６】
また、例えば支持具のスリット側のロッキングヘッドから固定用バンド片を取り除く場合、当該固定用バンド片は、支持具のスリット内に落下させることがある。作業効率を鑑みた場合、スリット内に落下した固定用バンド片はそのまま放置されることがある。
【０００７】
また、受け皿体は支持具に上下多段的に装着してあるが、各段の受け皿体において上記の作業を行った場合、各段の受け皿体で生じた複数の固定用バンド片が支持具のスリット内に落下することがある。このように、限られたスペースである支持具のスリット内には複数の固定用バンド片が溜まる可能性があるため、次にケーブルを交換あるいは増設する際には、新たに生じた固定用バンド片を除去するスペースが無くなる虞がある。
【０００８】
従って、本発明の目的は、既設の固定用バンドを除去する作業を迅速に行うことができ、切断されて生じた固定用バンド片を容易に除去できるケーブル固定具を提供することにある。
【課題を解決するための手段】
【０００９】
上記目的を達成するための本発明に係るケーブル固定具は、ケーブルを設置する設置面部を有するケーブル受け部を備えたケーブル固定具であって、その第一特徴構成は、前記ケーブル受け部に、前記ケーブルを締め付け固定する固定用バンドに係合して前記ケーブルを締め付けた状態に維持するロッキングヘッドを着脱可能に構成した固定部を備え、前記固定部は、前記ケーブル固定具を支持する支持具の側とは反対側の突出端部のみに備えた点にある。
【００１０】
本構成によれば、固定用バンドでケーブル受け部に固定したケーブルを取り外す場合は、切断工具等で固定用バンドを切断した後に、固定用バンド片をロッキングヘッドから除去し、ロッキングヘッドを固定部から除去するだけでよいため、突出端部の側だけの作業をすればよい。即ち、本構成によれば、特許文献１に記載のケーブル支持具のように、支持具のスリット側で固定用バンド片を除去する作業を行う必要がなくなる。従って、本発明のケーブル固定具であれば、既設の固定用バンドを除去する作業を迅速に行うことができ、かつ、切断されて生じた固定用バンド片を容易に除去することができる。
【００１１】
本発明に係るケーブル固定具の第二特徴構成は、前記固定部に、前記ロッキングヘッドと係合する係合部を設けた点にある。
【００１２】
本構成によれば、係合部がロッキングヘッドと係合してロッキングヘッドを確実に固定部に固定することができる。
【００１３】
本発明に係るケーブル固定具の第三特徴構成は、前記固定部の近傍に、前記ケーブルを仮止めする仮止め部を備えた点にある。
【００１４】
本構成によれば、仮止め部でケーブルを仮止めしておけば、固定用バンドをロッキングヘッドに挿通させる作業を迅速に行うことができる。
【図面の簡単な説明】
【００１５】
【図１】本発明のケーブル固定具の使用状態を示す図である。
【図２】図１の分解図である。
【図３】本発明のケーブル固定具を示す上方斜視概略図である。
【図４】本発明のケーブル固定具を示す下方斜視概略図である。
【図５】本発明のケーブル固定具の要部概略図である。
【図６】本発明のケーブル固定具を使用してケーブルを固定用バンドによって固定する手順を示す概略図である。
【図７】本発明のケーブル固定具を使用してケーブルを固定用バンドによって固定する手順を示す概略図である。
【図８】本発明のケーブル固定具を使用してケーブルを固定用バンドによって固定する手順を示す概略図である。
【図９】別実施形態のケーブル固定具を示す概略図である。
【発明を実施するための形態】
【００１６】
以下、本発明の実施形態を図面に基づいて説明する。
図１〜５に示したように、本発明のケーブル固定具Ｘは、ケーブルを設置する設置面部１２ａを有するケーブル受け部１０を備え、ケーブル受け部１０に、ケーブルＣを締め付け固定する固定用バンド２０に係合してケーブルＣを締め付けた状態に維持するロッキングヘッド３０を着脱可能に構成した固定部１１を備え、固定部１１は、ケーブル固定具Ｘを支持する支持具２の側とは反対側の突出端部１０Ａのみに備える。
【００１７】
図１は、トンネル内に電力ケーブルや通信ケーブル等の各種のケーブルＣを配設するのに本実施形態に係るケーブル固定具Ｘを使用した状態を示す。図１に示すように、ケーブル固定具Ｘを支持する支持具２がボルト３によりトンネルの内壁面１に設置されており、支持具２により支持された複数の（本実施形態では３つの）ケーブル固定具ＸにケーブルＣが固定されている。この支持具２及びケーブル固定具Ｘをトンネルの内壁面１に所定間隔で設けることで、トンネル内にケーブルＣをわたらせながら固定することができる。
【００１８】
支持具２は、トンネル内にケーブルＣを配設するために一般に用いられるものであればよく詳述は省略するが、図１，２に示すように、支持具２は平面視Ｃ字状で高さ方向に延びる支持部２ａを有し、支持部２ａ内に順番にケーブル固定具Ｘが挿通されることにより、複数のケーブル固定具Ｘが高さ方向に配設された状態となっている。
【００１９】
各ケーブル固定具Ｘは対象のケーブルＣの太さや形状に合わせた大きさにそれぞれ形成されている。本実施形態では、一番上に位置するケーブル固定具Ｘ１は３本のケーブルが結束されたケーブルＣ１を対象とし、３つの中で最も大きく形成されている。真ん中に位置するケーブル固定具Ｘ２はケーブルＣ１よりも細い一本のケーブルＣ２を対象とし、ケーブルＣ２に合わせた大きさで形成されている。一番下に位置するケーブル固定具Ｘ３はケーブルＣ２よりもさらに細いケーブルＣ３を対象とし、３つの中で最も小さく形成されている。また、各ケーブル固定具Ｘ１〜Ｘ３の位置調整をするために、最も上側のケーブル固定具Ｘ１と真ん中のケーブル固定具Ｘ２との間に板状部材からなるスペーサー４が挿通されている。そして、複数のケーブル固定具Ｘ１〜Ｘ３の抜けを防止するために、支持具２の上部に抜け止めピン５が設けられている。このように、トンネルの内壁面１に設置された支持具２に対し、対象のケーブルＣ１〜Ｃ３の太さに合わせたケーブル固定具Ｘ１〜Ｘ３がスペーサー４により所望の位置に配置されており、これにより適切にケーブルＣ１〜Ｃ３をトンネルの内壁面１に対して固定することができる。
【００２０】
次に、ケーブル固定具Ｘについて説明する。図１，２に示したケーブル固定具Ｘ１〜Ｘ３はそれぞれ大きさが異なるが、主要な構成については共通するため、以下では、ケーブル固定具Ｘ２を例に説明する。
【００２１】
図３に示すように、ケーブル固定具Ｘは、ケーブルＣを設置するケーブル受け具１０を備える。以下では、支持具２に設置するときを基準とし、支持具２の延在方向を高さ方向Ｈとし、トンネルの内壁面１（支持具２）に直交する方向を横方向Ｓ、ケーブルＣの延在方向を幅方向Ｗとして説明する。
【００２２】
ケーブル受け具１０は、支持部２ａに挿通させる部位であり、高さ方向Ｈに延びる板状の挿通部１３と、挿通部１３に対して横方向Ｓに突出し、ケーブルＣを設置する設置面部１２ａを有する設置部１２と、を備える。設置面部１２ａはケーブルＣの形状に沿うように、幅方向Ｗから見て下に凸の弧状に形成してある。
【００２３】
また、ケーブル受け部１０には、ケーブルＣを締め付け固定する固定用バンド２０に係合してケーブルＣを締め付けた状態に維持するロッキングヘッド３０を着脱可能に構成した固定部１１が備えてある。当該固定部１１は、ケーブル固定具Ｘを支持する支持具２の側とは反対側の突出端部１０Ａのみに備えてある。
【００２４】
固定部１１は、ロッキングヘッド３０が着脱可能となるように構成すればその形状は特に限定されるものではない。本実施形態では、固定部１１がロッキングヘッド３０を収容できる凹状に形成した場合について説明する。
【００２５】
固定用バンド２０は、長尺に形成されたベルト状の態様を有し、例えば、比較的硬質の難燃性の合成樹脂材（例えば難燃ナイロン）を用いて形成してある。固定用バンド２０は、その表面に、ローレット加工等を施して細かい凹凸を形成してある。また、固定用バンド２０は、ケーブルＣの径等に応じて必要な長さに切断して使用する。尚、固定用バンド２０の締め付け具合によって、ある程度の範囲内であれば、ケーブル径の大小に適応することは可能である。
【００２６】
ロッキングヘッド３０は、固定用バンド２０に係合してケーブルＣを締め付けた状態に維持する態様であればその形状は特に限定されるものではない。本実施形態では、固定用バンド２０が挿通する挿通路３１と、挿入された固定用バンド２０の位置をロックするロック爪３２と、を備えた態様とする場合について説明する。即ち、ロッキングヘッド３０に取り付けられたロック爪３２は、固定用バンド２０の挿入方向への挿通は可能にするが、これを引き戻す方向（挿入方向の反対方向）に引っ張ると、ロック爪の刃先が固定用バンド２０の面に食い込み、これにより固定用バンド２０の位置をロックして固定用バンド２０の引き戻しを防止することができる。本実施形態のロッキングヘッド３０は、２つの挿通路３１ａ，３１ｂを隣接配置した態様とし、それぞれの挿通路３１にロック爪３２を備えた態様とする場合について説明する。
【００２７】
ケーブル受け部１０の設置面部１２ａに抱持されたケーブルＣは、固定用バンド２０の引き締めによってその抱持状態が保持され、ロック爪３２の係止によって固定用バンド２０によるケーブルＣの抱持状態を長期間に亘って維持することができる。
【００２８】
また、ケーブル受け部１０には、固定用バンド２０を高さ方向Ｈに挿通する開口部１４ａ、および、固定用バンド２０を下方からスライドさせて上方に導く溝部１５が設けてある。
【００２９】
上述した本発明のケーブル固定具Ｘを使用してケーブルＣを固定用バンド２０によって固定する手順を以下に説明する（図６〜８）。
・固定用バンド２０の一端をロッキングヘッド３０の挿通路３１ａに挿通させた状態で、固定用バンド２０の他端を下方から開口部１４ａに挿通させ、開口部１４ａを挿通した固定用バンド２０が溝部１５を沿うように固定用バンド２０の他端を上方に導く。このとき、ロッキングヘッド３０を固定部１１に固定する（図６，７）。
・ケーブル受け部１０の設置面部１２ａに抱持されたケーブルＣの上方を押えるように固定用バンド２０の他端を曲げ、突出端部１０Ａの側に形成した開口部１４ｂを介して、当該固定用バンド２０の他端をロッキングヘッド３０の挿通路３１ｂに挿通させる（図８）。
・固定用バンド２０を引き締めてケーブルＣを固定用バンド２０によってケーブル受け部１０の設置面部１２ａに固定する。
・必要に応じて、固定用バンド２０の余長分を切断する。
【００３０】
従って、本発明のケーブル固定具Ｘであれば、固定用バンド２０を装着して引き締める作業を突出端部１０Ａの側だけ行えばよいため、固定用バンド２０を装着する作業を迅速に行うことができる。
【００３１】
また、既設の固定用バンド２０を除去する手順を以下に説明する。
・ケーブルＣを固定した状態の固定用バンド２０を切断工具等で切断する。
・固定用バンド２０を切断して生じた固定用バンド片をロッキングヘッド３０から除去する。
・ロッキングヘッド３０を固定部１１から除去する。
【００３２】
このように、固定用バンド２０でケーブル受け部１０に固定したケーブルＣを取り外す場合は、切断工具等で固定用バンド２０を切断した後に、固定用バンド片をロッキングヘッド３０から除去し、ロッキングヘッド３０を固定部１１から除去するだけでよいため、突出端部１０Ａの側だけの作業をすればよい。従って、本発明のケーブル固定具Ｘであれば、既設の固定用バンド２０を除去する作業を迅速に行うことができ、かつ、切断されて生じた固定用バンド片を容易に除去することができる。
【００３３】
固定部１１には、ロッキングヘッド３０と係合する係合部１１ａが設けてある。当該係合部１１ａはロッキングヘッド３０と係合する態様であればその形状は特に限定されるものではない。本実施形態では、係合部１１ａがロッキングヘッド３０の側面に形成してある凹部に係合する凸状部とした場合について説明する。係合部１１ａは、凹状に形成してある固定部１１の内面において対向するように一対設けるとよい。
【００３４】
本構成では、係合部１１ａがロッキングヘッド３０と係合してロッキングヘッド３０を確実に固定部１１に固定することができる。
【００３５】
固定部１１の近傍には、ケーブルＣを仮止めする仮止め部１６を備えてある。当該仮止め部１６は、ケーブルＣを一時的に係止できる態様であればその形状は特に限定されるものではない。本実施形態では、仮止め部１６が、一方が解放したスリット状の態様とした場合について説明する。即ち、このような解放した部位からケーブルＣを仮止め部１６に侵入させることでケーブルＣを一時的に係止することができる。
【００３６】
仮止め部１６でケーブルＣを仮止めするケースとしては、例えば、ケーブルＣを交換あるいは増設する際に、ケーブルＣを設置面部１２ａに設置した状態で固定用バンド２０をロッキングヘッド３０の挿通路３１に挿通させる前に、一時的にケーブルＣを仮止めする場合などが例示される。
【００３７】
本構成では、仮止め部１６でケーブルＣを仮止めしておけば、固定用バンド２０をロッキングヘッド３０の挿通路３１に挿通させる作業を迅速に行うことができる。
【００３８】
〔別実施例〕
上述した実施形態では仮止め部を備えた場合について説明したが、図９に示したように、当該仮止め部を省略して実施してもよい。
【産業上の利用可能性】
【００３９】
本発明は、ケーブルを設置する設置面部を備えるケーブル受け部を備えたケーブル固定具に利用できる。
【符号の説明】
【００４０】
Ｘ          ケーブル固定具
Ｃ          ケーブル
２          支持具
１０        ケーブル受け部
１０Ａ      突出端部
１１        固定部
１１ａ      係合部
１２ａ      設置面部
１６        仮止め部
２０        固定用バンド
３０        ロッキングヘッド
【図１】
2020174469.tif 000003
【図２】
2020174469.tif 000004
【図３】
2020174469.tif 000005
【図４】
2020174469.tif 000006
【図５】
2020174469.tif 000007
【図６】
2020174469.tif 000008
【図７】
2020174469.tif 000009
【図８】
2020174469.tif 000010
【図９】
2020174469.tif 000011